(57)【要約】【課題】熱に弱い化繊系の衣類を乾かす場合であっても、高効率で信頼性の高いドラム式乾燥機を提供する。【解決手段】回転ドラムに送り込まれる温風を発生させるヒートポンプ装置を備え、ヒートポンプ装置の圧縮機は、回転数が任意に変更されるインバータモータによって駆動され、熱に弱い化繊系の衣類を乾かす場合は、圧縮機の回転数３７を所定の回転数（約３５Ｈｚ）まで下げることによって約４５℃以下の低温度の温風を生成し、約４５℃以下の低温度の温風を生成させる。この低温度の温風を用いることにより、衣類を乾燥させるため、ドラム式乾燥機の乾燥効率や信頼性が高い。【選択図】図２
2014018449.tif 000002
【特許請求の範囲】
【請求項１】
被乾燥物を収容する回転ドラムと、
温風を発生させるヒートポンプ装置および送風部と、
前記温風を前記回転ドラムへ循環させる循環路と、
少なくとも、前記回転ドラム、前記送風部、前記ヒートポンプ装置を制御する制御部と、を備え、
前記ヒートポンプ装置は、圧縮機、凝縮器、蒸発器が連通し、内部に冷媒が循環する構成を有し、
前記圧縮機は、前記制御部によって回転数が任意に変更されるインバータモータによって駆動され、
前記制御部は、熱に弱い化繊系の衣類を乾かす場合は、前記圧縮機を所定の回転数まで下げることによって約４５℃以下の低温度の温風を生成し、前記約４５℃以下の低温度の温風を用いて前記衣類を乾燥させることを特徴としたドラム式乾燥機。
【請求項２】
使用者からの指示を受ける入力部をさらに有し、
使用者が前記入力部から指示した場合に、前記約４５℃以下の低温度の温風を用いた前記衣類を乾燥させる動作が行われる請求項１に記載のドラム式乾燥機。
【発明の詳細な説明】
【技術分野】
【０００１】
本発明はドラム式乾燥機に関するものである。
【背景技術】
【０００２】
従来のドラム式乾燥機に用いられる圧縮機は、回転数を任意に変えることは不可能であった（例えば、特許文献１参照）。
【０００３】
図３は従来のドラム式乾燥機の、温風温度３４と圧縮機の回転数３５との関係を示す説明図である。従来のドラム式乾燥機は、温風温度３４が設定温度（例えば６０℃）より上がりすぎた場合、圧縮機の回転を停止させることによって、温風温度を下げる。また、従来のドラム式乾燥機は、温風温度３４が設定温度以下になると再び圧縮機を駆動し、乾燥運転を継続する。
【先行技術文献】
【特許文献】
【０００４】
【特許文献１】欧州特許第０４６７１８８号明細書
【発明の概要】
【発明が解決しようとする課題】
【０００５】
従来のドラム式乾燥機は、衣類の種類によって温風温度を変更する場合、温風温度を下げるために、熱交換器の能力を落とさなければならなかった。
【０００６】
すなわち、従来のドラム式乾燥機は、温風温度が設定温度より上がった場合は、圧縮機を停止し、温風温度が放熱によって下がるのを待ち、温風温度が所定温度以下になると再度、圧縮機を駆動する。しかしながら、この場合は、圧縮機が停止している間は、熱交換器による除湿ができなくなる。さらに、圧縮機を再度駆動するとき、熱交換器内の冷媒が安定するまで待たなければならない。すなわち、乾燥運転を行うに際して、効率が低下すると言う課題があった。
【課題を解決するための手段】
【０００７】
上記従来の課題を解決するために、本発明のドラム式乾燥機は、被乾燥物を収容する回転ドラムと、温風を発生させるヒートポンプ装置および送風部と、温風を回転ドラムへ循環させる循環路と、少なくとも、回転ドラム、送風部、ヒートポンプ装置を制御する制御部と、を備え、ヒートポンプ装置は、圧縮機、凝縮器、蒸発器が連通し、内部に冷媒が循環する構成を有し、圧縮機は、制御部によって回転数が任意に変更されるインバータモータによって駆動され、制御部は、熱に弱い化繊系の衣類を乾かす場合は、圧縮機を所定の回転数まで下げることによって約４５℃以下の低温度の温風を生成し、約４５℃以下の低温度の温風を用いて前記衣類を乾燥させる。
【０００８】
この構成により、熱に弱い化繊系の衣類を約４５℃以下の低温度の温風で乾燥させる。
【発明の効果】
【０００９】
本発明のドラム式乾燥機は、回転数が任意に変更されるインバータモータによって圧縮機が駆動されることにより、熱に弱い化繊系の衣類を約４５℃以下の低温度の温風で乾燥させる。すなわち、圧縮機の停止や再駆動の必要が無く、衣類の質に応じた温風温度によって、効率的な乾燥を行うことができる。
【図面の簡単な説明】
【００１０】
【図１】本発明の実施の形態におけるドラム式乾燥機の構成図
【図２】同ドラム式乾燥機の温風温度と圧縮機の回転数との関係を示す説明図
【図３】従来のドラム式乾燥機の温風温度と圧縮機の回転数との関係を示す説明図
【発明を実施するための形態】
【００１１】
以下、本発明の実施の形態について、図面を参照しながら説明する。なお、この実施の形態によって本発明が限定されるものではない。
【００１２】
図１は、ヒートポンプ乾燥方式のドラム式乾燥機の構成を示す。
【００１３】
回転ドラム１は、回転軸２を有する。回転ドラム１は、筐体３の背面を構成する裏板４の軸受け５と、回転軸２とによって片持ちで支持される。さらに、回転ドラム１は、筐体３に固定されたローラ６によって、先端面が両側から支持される。
【００１４】
駆動モータ７は、モータ回転軸の一方の端部にドラムプーリ８Ａを有し、ドラムプーリ８Ａに掛けられたドラムベルト９を介して回転ドラム１を回転させる。
【００１５】
ファンケース１０内には、送風部であるファン１３が設けられる。ファン１３は、ファン回転軸の端部に設けられたファンプーリ１１を有する。駆動モータ７は、モータ回転軸のもう一方の端部にファンプーリ８Ｂを有する。ファンプーリ８Ｂとファンプーリ１１とに、ファンベルト１２が掛けられ、ファン１３が回転する。なお、ファンケース１０の吹き出し口１４は、回転ドラム１の背面に開口する。
【００１６】
筐体３の底部には、ヒートポンプ装置１５が配設される。ヒートポンプ装置１５は、圧縮機２３、凝縮器２４、蒸発器２５等が連通して構成され、その内部に冷媒が循環する。ファン１３の回転によってダクト１７からヒートポンプ装置１５に入った空気は、ヒートポンプ装置１５によって除湿および加熱され、温風となる。温風は、ファンケース１０の吸い込み口１６に入り、ファンケース１０の吹き出し口１４から回転ドラム１に入る。回転ドラム１に入った温風によって、被乾燥物である衣類が乾燥する。衣類を乾燥させた温風は、回転ドラム１の前部の開口から、フタ１８の内部を通って、ダクト１７に入り、再び、ヒートポンプ装置１５に戻る。このようにして、循環路が形成され、温風が循環する。なお、乾燥運転において、回転ドラム１、ファン１３、ヒートポンプ装置１５等は、制御部２８によって制御される。また、圧縮機２３は、制御部２８からの指令に基づいて回転数が任意に変更されるインバータモータ３０によって駆動される。
【００１７】
図２は、本発明におけるドラム式乾燥機の温風温度３６と、圧縮機２３の回転数３７との関係を示す説明図である。まず、被乾燥物である衣類が、乾燥し難い綿系の衣類等の場合について、図２の破線を用いて説明する。この場合、圧縮機２３（すなわちインバータモータ３０）は高速回転（例えば約９０Ｈｚ）で駆動され、高温度（例えば約７０℃）の温風が生成される。この高温度の温風を用いることにより、衣類が乾燥する。
【００１８】
一方、被乾燥物である衣類が、熱に弱い化繊系の衣類等の場合について、図２の実線を用いて説明する。この場合、制御部２８は、圧縮機２３を所定の回転数（例えば約３５Ｈｚ）まで下げることによって約４５℃以下の低温度の温風を生成させる。この低温度の温風を用いることにより、衣類が乾燥する。乾燥させ効率の高いドラム式乾燥機を提供することができる。このように、本発明のドラム式乾燥機は、回転数が任意に変更されるインバータモータ３０によって圧縮機２３が駆動されることにより、熱に弱い化繊系の衣類を約４５℃以下の低温度の温風で乾燥させる。すなわち、圧縮機２３の停止や再駆動の必要が無く、衣類の質に応じた温風温度によって、効率的な乾燥を行うことができる。特に、熱に弱い化繊系の衣類等を乾かす場合は、圧縮機２３を所定の回転数まで下げることによって約４５℃以下の低温度の温風を用いて乾燥させ、衣類の傷みや縮みの少ない信頼性の高い乾燥運転を行うことができる。
【００１９】
さらに、本発明のドラム式乾燥は、使用者からの指示を受ける入力部３１（図１に示す）を有する。入力部３１によって乾燥運転を指示した後に、入力部３１に設けられたオプションキー等を操作することにより、任意に、約４５℃以下の低温度の温風での乾燥運転を指示することができる。このため、使用者が希望する幅広い乾燥運転に対応できる、使い勝手のよいドラム式乾燥機を提供することができる。
【産業上の利用可能性】
【００２０】
以上のように、本発明にかかるドラム式乾燥機は、熱に弱い化繊系の衣類等を乾かす場合は圧縮機の回転を所定の回転数まで下げて、約４５℃以下の低温度の温風を用いて乾燥させ、衣類の傷みや縮みの少ない信頼性の高いドラム式乾燥機を提供することができる。
【符号の説明】
【００２１】
１  回転ドラム
２  回転軸
３  筐体
４  裏板
５  軸受け
６  ローラ
７  駆動モータ
８Ａ  ドラムプーリ
８Ｂ  ファンプーリ
９  ドラムベルト
１０  ファンケース
１１  ファンプーリ
１２  ファンベルト
１３  ファン（送風部）
１４  吹き出し口
１５  ヒートポンプ装置
１６  吸い込み口
１７  ダクト
１８  フタ
２３  圧縮機
２４  凝縮器
２５  蒸発器
２８  制御部
３０  インバータモータ
３１  入力部
３６  温風温度
３７  回転数
【図１】
2014018449.tif 000003
【図２】
2014018449.tif 000004
【図３】
2014018449.tif 000005